(57)【要約】【課題】ペット散歩時に糞をした場合、その糞を袋を介して直接手で掴まなくても覆い包む事が出来ると共に、持ち運びとして抵抗感の無い小さく軽い器具であり、糞が器具に接触する事無く採取後に洗浄する必要が無い、ことを目的とした。【解決手段】基本的な手法は、スコップに袋を被せて汚物を掬い取り、袋をスコップから外す時に反転させて袋を綴じる、手順である。袋をスコップから外す時に反転させる１つの方法としては、スコップに穴部を設け、スコップと一体であり可撓性を有した板状部を撓ませて、袋底部を係止し、袋開口部を掴んで裏返せば、袋が反転出来る様にした。もう１つの方法は、別体の梃子を備えて、スコップの先端で袋底部を把持しうる様にして、厚みの有る袋でも反転させられる様にした。更なる方法としては、スコップと２重式の袋を使い、小さい袋にスコップの１部を撓ませて入れ、大きい袋を反転して、小さい袋を介してスコップに糞を掬い取った後、反転した大きい袋を戻して、糞を覆い包む様にした。【選択図】図１
2005006617.tif 000002
【特許請求の範囲】
【請求項１】
スコップ形状の先端部もしくは先端から中央部に亘って開口部を有し、その開口部に相対して若干小さい寸法の板状部を有した、前記先端部で袋の底部を把持出来る機能の、汚物採取用具。
【請求項２】
スコップ先端部に対応する位置に押え部を有し、手前に握り部を有した梃子を、スコップに軸支した、更には、スコップ掬い部最大寸法を外囲する形状で、スコップの長手方向にスライド可能な筒を備えた、汚物採取用具。
【請求項３】
外袋又は前袋の底部に底巾より巾の狭い開口部を設け、その開口部を入口部とした中袋又は後袋を開口部で外袋又は前袋と一体化した袋と、弾力性を有した側壁部を縮めた時には前記中袋又は後袋の開口部に挿入することが出来る大きさのスコップとで、構成される汚物採取用具。
【発明の詳細な説明】
【０００１】
【発明が属する技術分野】
本発明の主たる用途は、ペットを散歩させている時の地上に落ちた糞の採取である。
【０００２】
【従来の技術】
従来の汚物取りは、例えば特開２００２−１５３１５８や特開２００２−１１２６５８記される様に、採取器具が大きいか、糞が採取器具にも接触する方法のものであった。
【０００３】
【発明が解決しようとする課題】
袋を介して直接手で掴まなくても糞を覆い包む事が出来ると共に、ペット散歩時の持ち運びとして抵抗感の無い小さく軽い器具であり、糞が器具に接触する事無く採取後に洗浄する必要が無い、ことを課題とした。
【０００４】
【課題を解決するための手段】
本発明では、地上に落ちた後に糞を採取するのにスコップを使用する方法とし、スコップを後で洗わなくても済む様に、スコップ先端で袋を掴み袋を反転させられるか、又は中袋がスコップに被り外袋に糞が収納されるか、の方式とした。
【０００５】
【発明の実施の形態】
請求項１では、袋の底部をスコップ穴部と板状部の狭い隙間に係止し、糞を取った後に、袋を難無く反転させられる様にした。
請求項２では、袋の先端をスコップで掴んで袋を反転させ、糞を取った後はスライダーを押し、糞の重みを抵抗として袋を元へ戻して、糞を覆い包む。
請求項３では、スコップを掴んで側壁部を縮めて中袋に入れ、外袋を捲って反転させる。その状態で糞を掬い取り、スコップ側壁部への力を緩めスコップ全体を元の形に広げて中袋への係止状態を生じさせ、反転しておいた外袋を元の形に戻して、糞を覆い包む。
又、上記いずれの場合も糞を掬い取った後で、袋を反転させることもある。
【０００６】
【実施例】
請求項１について、図１に本考案の袋とスコップ、図２に袋底部をスコップに係止した、袋を切り欠いた断面図、を示す。
スコップ１には、スコップ１の掬い部１ａと、それと離れた位置で板状部１ｂが設けられている。袋２の底部２ａを前記の離れた位置間に入れ、板状部１ｂの付け根部１ｃを押して撓ませれば、袋２をスコップ１の穴部１ｄと板状部１ｂの隙間に係止する事が出来る。
その状態にて糞を掬い取った後、袋２の開口部２ｂを掴んで反転させれば、糞が器具に接触する事無く、収納する事が出来る。
【０００７】
請求項２について、図３に袋の底部を掴んだ状態、を示す。
スコップ本体３に、梃子４を軸５にて回転可能に備える。その梃子先端には押え部４ａが有り、手前には握り部４ｂが備えられていて、袋２の底部２ａを押え部４ａとスコップ３の掬い部３ａに挟んで、スコップの柄を握れば、袋２は把持されるので、請求項１の場合と同様に、その状態にて糞を掬い取った後、袋２の開口部２ｂを掴んで反転させれば、糞が器具に接触する事無く、収納する事が出来る。又、図４の状態にして糞を掬い取った後、スコップ掬い部３ａの最大寸法を外囲する筒部６ａを有するスライダー６を前方へ押せば、糞の重みを抵抗として、袋２を反転させる事が出来る。
【０００８】
請求項３について、図４に袋とスコップ、の図を示す。
袋７は外袋部７ａと中袋部７ｂで構成され、スコップ８は、掬い部８ａと、スリット部８ｂにより弾性を付与された側壁部８ｃで、構成される。
使用に際しては、中袋７ｂの開口部７ｃを広げ、スコップ８を握り側壁部８ｃを撓ませて、中袋７ｂ内へ入れる。
その後、外袋７ａを捲って反転させた状態で、糞や汚物を掬い取る。
掬い取った後、側壁部８ｃの握りを開放してスコップを元の形に戻せば、中袋７ｂは側壁部８ｃに係止した状態となるので、反転させておいた外袋７ａのみを元に戻すことが出来る。
尚、袋７は外と中の２重式でなくても、図５に示す様な大きい袋と小さい袋が連結され、その連結部が前記した様に、スコップ側壁部８ｃを撓ませた時に通過出来、スコップを元の形に戻した時に係止しうる大きさの、前後に連結した形でも良い。
【０００９】
【発明の効果】
上記発明の採取用具を使えば、袋を介して直接手で糞を掴む不快感を避ける事が出来るし、散歩時の携帯用具としては抵抗感の無い小さい物でもある。
又、掬い取る用具は汚れが付着しないので、後で洗浄する手間も無い。
請求項１の場合の利点は、スコップがより小さくて軽いもので済み、袋は通常市販されている薄手の物なら使用可能である。
請求項２の場合の利点は、袋の先端を押えて把持するので、袋材が厚くても反転時に外れたりする事が無いので、袋の種類を問わず利用出来る。
請求項３の場合は、袋底部を係止又は把持する作業が不要で、袋材の厚みについては請求項２と同様に特に拘る事無く利用出来る利点が有ると同時に、反転作業が円滑に為せる利点が有る。
【図面の簡単な説明】
【図１】請求項１に係る市販袋とスコップの図
【図２】請求項１に係る袋底部を係止した図
【図３】請求項２に係る袋底部を係止した図
【図４】請求項３に係る２重袋とスコップの図
【図５】別形状の２重袋の図
【符号の説明】
１      スコップ                  １ａ    掬い部
１ｂ    板状部                    １ｃ    付け根部
１ｄ    穴部
２      袋                        ２ａ    底部
２ｂ    開口部
３      スコップ本体              ３ａ    掬い部
４      梃子                      ４ａ    押え部
４ｂ    握り部
５      軸
６      スライダー                ６ａ    筒部
７      袋                        ７ａ    外袋部
７ｂ    中袋部                    ７ｃ    開口部
８      スコップ                  ８ａ    掬い部
８ｂ    スリット部                ８ｃ    側壁部
【図１】
2005006617.tif 000003
【図２】
2005006617.tif 000004
【図３】
2005006617.tif 000005
【図４】
2005006617.tif 000006
【図５】
2005006617.tif 000007